(57)【要約】【課題】  物品が容器から外れにくく、かつ、物品を容器に付した後も取り扱いが簡単な容器、及び、該容器の製造方法を提供する。【解決手段】  物品が胴体部に添付され、前記物品を上から覆うように前記胴体部にシュリンクラベルが付された容器。【選択図】図３
2007076665.tif 000002
【特許請求の範囲】
【請求項１】
物品が胴体部に添付され、前記物品を上から覆うように前記胴体部にシュリンクラベルが付された容器。
【請求項２】
胴体部に物品を格納するための凹部を備え、前記物品が格納された凹部を上から覆うように前記胴体部にシュリンクラベルが付された容器。
【請求項３】
前記シュリンクラベルは、裏面に遮光用の着色がなされていることを特徴とする請求項１又は２に記載の容器。
【請求項４】
前記物品は、印刷物又は景品であることを特徴とする請求項１乃至３のいずれかに記載の容器。
【請求項５】
請求項１乃至４のいずれかに記載の容器を製造する容器の製造方法であって、
容器を搬送する搬送工程と、
搬送された前記容器の胴体部に物品を添付する物品添付工程と、
前記物品が添付された前記容器に、シュリンクラベルを形成するラベル形成工程と
を備えることを特徴とする容器の製造方法。
【発明の詳細な説明】
【技術分野】
【０００１】
本発明は、シュリンクラベルが付された容器に関する。
【背景技術】
【０００２】
図１は、容器の外観の一例を示す図である。１００は該容器全体を示す。１０１は、容器１００の胴体部、１０２は容器１００の首の部分を、それぞれ示している。
【０００３】
このような容器１００は、主に飲料水等の液体を充填して販売するために利用されており、販売促進のために、景品として所定の物品が付されることがある。１０３はこのような物品を示す。物品１０３は、図１に示すように容器１００の首の部分１０２にかけるようにして付されるのが一般的である（特許文献１を参照）。
【特許文献１】特開２００１−１９９４４４号公報
【発明の開示】
【発明が解決しようとする課題】
【０００４】
しかしながら、容器１００の首の部分１０２にかけるようにして物品１０３を付す場合、物品１０３が簡単に外れてしまう。物品１０３が容器１００から外れないようにするための取り扱いは煩雑である。また、店頭に設置した場合、誰でも容易に取り外しが可能となっているので、当該第三者に物品１０３のみを取られてしまうという虞がある。
【０００５】
そこで、本発明では、物品が容器から外れにくく、かつ、物品を容器に付した後も取り扱いが簡単な容器、及び、該容器の製造方法を提供することを目的とする。
【課題を解決するための手段】
【０００６】
上記課題を解決するための本発明は、物品が胴体部に添付され、前記物品を上から覆うように前記胴体部にシュリンクラベルが付された容器である。
【０００７】
上記課題を更に解決するための本発明は、胴体部に物品を格納するための凹部を備え、前記物品が格納された凹部を上から覆うように前記胴体部にシュリンクラベルが付された容器である。
【０００８】
また、本発明において、物品は、印刷物又は景品であることが好ましく、シュリンクラベルは裏面に遮光用の着色がなされていることが好ましい。
【０００９】
更に、該容器を製造するための製造方法としての本発明は、容器を搬送する搬送工程と、搬送された前記容器の胴体部に物品を添付する物品添付工程と、前記物品が添付された前記容器に、シュリンクラベルを形成するラベル形成工程とを備えることを特徴とする。
【発明の効果】
【００１０】
本発明によれば、物品が容器から外れにくく、かつ、物品を容器に付した後も取り扱いが簡単な容器、及びその製造方法を提供することができる。
【発明を実施するための最良の形態】
【００１１】
以下添付図面を参照して、本発明の好適な実施形態について詳細に説明する。
【００１２】
[第１の実施形態]
図２は、容器１００の外観を示す図である。図２において、容器１００の胴体部１０１には、ラベル２０１が添付されている。ラベル２０１には、加熱などにより収縮するシュリンク材料が利用されることが好ましい。また、容器１００は、ペットボトル容器であることが最も好ましいが、シュリンクラベル２０１を付すことが可能であれば、その他の容器であってもよい。
【００１３】
図２では、胴体部１０１のうち、上部のみにラベル２０１が付されているが、このような形態はあくまで例示として示したものであって、容器１００の大きさに応じて、胴体部１０１の全体にラベルを付しても良い。
【００１４】
本発明は、このようなラベル２０１と容器１００の胴体部１０１との間に、物品を含めるように容器１００を構成することを特徴とする。
【００１５】
図３は、本実施形態に対応する容器１００の外観を示す図である。図３において、胴体部１０１には、物品としての印刷物３０１が添付されている。この印刷物３０１には、例えば特定のキャラクタが印刷されたカード、シール、キャンペーン用応募シール、当たりくじ、おみくじ、アンケート用返信ハガキ或いはミニブック等が含まれる。また、本実施形態において、印刷物３０１を胴体部１０１に添付するに当たり、印刷物３０１自体の包装の有無は問わない。
【００１６】
図４は、図３のように印刷物３０１が容器１００の胴体部１０１に添付された状態で、ラベル２０１が付された状態を示している。このように印刷物３０１が付された状態で胴体部１０１にラベル２０１を付すことにより、ラベル２０１の収縮により印刷物３０１が胴体部１０１に確実に固定される。よって、ラベル２０１を胴体部１０１から剥離させない限りは、印刷物３０１のみを容易に取り出すことを困難とすることができる。また、ラベル２０１には、通常、容器１００に充填される内容物に関する情報が印刷されているため、この印刷により景品として付される印刷物３０１の内容を隠すことができる。よって、ラベル２０１をはがさない限りは印刷物３０１の内容は視認可能とならない。
【００１７】
なお、ラベル２０１を通して印刷物３０１の印刷内容が把握できないように、ラベル２０１に遮光のための加工を更に施すことができる。例えば、ラベル２０１の裏側全体、あるいは、印刷物３０１と接する部分を、遮光のために黒またはそれに類する色で着色することができる。
【００１８】
図１に示すように、容器１００の首１０２に景品１０３をかける場合は、首１０２にかけるための専用の包装が必要であったが、本実施形態では、従来から使用されているシュリンク材料のラベル２０１を付するだけで印刷物３０１が固定されるので、専用の包装は特に必要としない。
【００１９】
また、印刷物３０１としてカードやシールを景品とする場合には、これらの折り曲げを防止することが求められるが、本実施形態では、印刷物３０１は形状の変化が少ない胴体部１０１に添付され、ラベル２０１で固定されるので、折り曲げを効果的に防止することができる。
【００２０】
なお、ラベル２０１にミシン目が設けられている場合は、当該ミシン目に沿って切り取ることにより、胴体部１０１からラベル２０１を剥離させ、印刷物３０１を取り出すことができる。
【００２１】
本実施形態によれば、ラベル２０１には表現しきれない情報も、印刷物３０１に印刷して提供することができる。更に、容器１００からラベル２０１をはがさなければ印刷物３０１等の物品を取得できないため、素材の異なるラベル２０１と容器１００とを分別して廃棄することの契機を与えることができる。
【００２２】
[第２の実施形態]
第１の実施形態は、印刷物３０１のように平面的な物品を景品として容器１００に付する場合を記載した。これに対し、本実施形態では、該物品として立体物を付する場合について説明する。
【００２３】
図５は、本実施形態に対応する容器１００の胴体部１０１の構造の一例を示す図である。
【００２４】
図５において、胴体部１０１は、立体的な物品を格納可能なように、凹部５０１を有する。この凹部５０１の形状は、立体物の構造に対応した輪郭を有していても良いし、又は、図５に示すように、立体物が格納可能な直方体形状であっても良い。
【００２５】
５０２は、立体物としての物品であり、このような立体物が胴体部１０１に設けられた凹部５０１内に格納され、その状態でシュリンク材料によるラベル２０１が形成されることとなる。従って、物品５０２は凹部５０１とラベル２０１とにより挟み込まれて固定された状態となる。
【００２６】
なお、物品５０２は、内容が外部から視認可能、或いは不可能なように包装された状態で、凹部５０１に格納されても良い。また、第１の実施形態と同様に、ラベル２０１を通して物品５０２を把握できないように、ラベル２０１に遮光のための加工を施すことができる。
【００２７】
このように、容器１００の胴体部１０１に格納用の凹部を形成することで、立体物であっても簡単に離間しないように容器１００に景品として付することができる。また、物品５０２は凹部５０１に格納されるので、図１に示した景品１０３のような首１０２にかけるための専用の包装は不要である。
【００２８】
更に、物品５０２は、変形しにくい胴体部１０１の凹部５０１に格納されるので、圧迫を受けて変形したり破壊される危険性が少ない。
【００２９】
[第３の実施形態]
上記の第１及び第２の実施形態では、シュリンクラベル２０１を利用して物品が付された容器について説明した。本実施形態では、このような容器の製造方法について説明する。
【００３０】
図６は、本実施形態に対応する方法により容器を製造するための装置の構成の一例を示す図である。６００は、装置全体を示す。６０１は、容器１００を搬送する搬送部である。この搬送部６０１は例えば、ベルトコンベア及びボトルの位置決め装置により構成される。６０２は、容器１００に印刷物３０１や物品５０２等を添付する物品添付部である。物品添付部６０２では、いわゆるタックラベルをペットボトルなどに添付するのと同様にして、印刷物３０１等を容器１００添付する。６０３は、シュリンクラベル形成部であり、印刷物３０１等が添付された容器１００にシュリンクラベル用のフィルムをかぶせ、加熱装置により加熱することにより、ラベル２０１を形成する。
【００３１】
図７は、装置６００において第１又は第２の実施形態に対応する物品及びラベル２０１が付された容器１００を製造する、本実施形態に対応する処理のフローチャートである。
【００３２】
まず、ステップＳ７０１において、搬送部６０１により搬送されてきた容器１００に、物品添付部６０２により印刷物３０１や物品５０２等の物品が添付される。次に、ステップＳ７０２において、シュリンクラベル形成部６０３により、物品が添付された容器１００にラベル２０１が形成される。
【００３３】
以上、本実施形態によれば、第１又は第２の実施形態に対応する容器を製造することができる。
【図面の簡単な説明】
【００３４】
【図１】物品付き容器の一例を示す図である。
【図２】ラベルが付された容器の一例を示す図である。
【図３】本発明の第１の実施形態に対応する景品の添付の一例を示す図である。
【図４】本発明の第１の実施形態に対応する景品をラベルにより覆った状態を示す図である。
【図５】本発明の第２の実施形態に対応する容器の構成を示す図である。
【図６】本発明の第３の実施形態に対応する、容器を製造するための装置の構成の一例を示す図である。
【図７】本発明の第３の実施形態に対応する容器の製造方法の処理の一例を示すフローチャートである。
【図１】
2007076665.tif 000003
【図２】
2007076665.tif 000004
【図３】
2007076665.tif 000005
【図４】
2007076665.tif 000006
【図５】
2007076665.tif 000007
【図６】
2007076665.tif 000008
【図７】
2007076665.tif 000009